(57)【要約】【課題】建物の換気を適切に行うことを可能とする。【解決手段】建物Ｈは、第１空間Ｖ１と第２空間Ｖ２の間で換気を行う。建物Ｈは、第１空間Ｖ１と第２空間Ｖ２の間に設けられた鉄骨梁２と、鉄骨梁２に形成された貫通孔２ｃと、第１空間Ｖ１、貫通孔２ｃ、及び第２空間Ｖ２を繋げる換気経路を確保するための換気経路確保部材１０と、を有する。換気経路確保部材１０は、貫通孔２ｃと、第２空間Ｖ２に設けられる断熱材８との間に配される衝立部１０Ｘと、貫通孔２ｃと第２空間Ｖ２の間の通気空間を形成するように、貫通孔２ｃから衝立部１０Ｘを離間して支持する支持部１０Ｙと、を有する。【選択図】図２
2019060127.tif 000002
【特許請求の範囲】
【請求項１】
第１空間と第２空間の間で換気を行う建物であって、
前記第１空間と前記第２空間の間に設けられた躯体と、
前記躯体に形成された貫通孔と、
前記第１空間、前記貫通孔、及び前記第２空間を繋ぐ換気経路を確保するための換気経路確保部材と、を有し、
前記換気経路確保部材は、
前記貫通孔と、前記第２空間に設けられる断熱材又は吸音材との間に配される衝立部と、
前記貫通孔と前記第２空間との間の通気空間を形成するように、前記貫通孔から前記衝立部を離間して支持する支持部と、を有することを特徴とする建物。
【請求項２】
前記支持部は、
前記貫通孔に接続する第１開口部と、
前記第２空間に接続する第２開口部と、を有することを特徴とする請求項１に記載の建物。
【請求項３】
前記第１空間は、通気孔が形成される前記建物の外壁部と、前記第２空間との間に設けられる空間であり、
前記躯体は、前記外壁部と前記第２空間との間で前記外壁部と並ぶように設けられた梁であることを特徴とする請求項２に記載の建物。
【請求項４】
前記貫通孔は、前記梁のウェブに形成され、
前記換気経路確保部材は、
前記貫通孔が形成された部分の前記ウェブに取り付けられる取付部材を有することを特徴とする請求項３に記載の建物。
【請求項５】
前記換気経路確保部材は、上面部、下面部、及び複数の側面部を有し、
前記複数の側面部は、前記貫通孔に近い側に配される第１側面部と、前記貫通孔に対し遠い側に配される前記衝立部としての第２側面部を含み、
前記第１開口部は、前記第１側面部に設けられ、
前記第２開口部は、前記換気経路確保部材の上部に設けられることを特徴とする請求項４に記載の建物。
【請求項６】
前記第２開口部は、前記上面部に設けられることを特徴とする請求項５に記載の建物。
【請求項７】
前記取付部材は、前記ウェブを挟持するクリップであることを特徴とする請求項４乃至６のいずれかに記載の建物。
【請求項８】
前記第１側面部の下部に設けられ、前記貫通孔より下部の前記ウェブに係止する係止部材を有することを特徴とする請求項５又は６に記載の建物。
【請求項９】
前記衝立部と前記ウェブとの距離は、前記ウェブから前記第２空間に向けて延出する前記梁のフランジの長さよりも短いことを特徴とする請求項４乃至８のいずれかに記載の建物。
【請求項１０】
前記第１空間と前記第２空間は、前記建物の屋根下又は階間に設けられることを特徴とする請求項１乃至９のいずれかに記載の建物。
【発明の詳細な説明】
【技術分野】
【０００１】
本発明は、建物に係り、特に、換気を適切に行うことが可能な建物に関する。
【背景技術】
【０００２】
建物の中には、屋根下と階間のうちの少なくとも一方に被換気空間を有するものが存在する。その一例としては、特許文献１に記載の建物が挙げられる。特許文献１に記載の建物は、外壁材の上端を陸屋根の極力近付けつつ、屋根下空間の換気を確実に行うことが可能な構造を採用している。
【０００３】
また、特許文献１に記載の建物では、外壁に通気孔を設けると共に、屋根材を支える梁に貫通孔を設けている。かかる構成において、建物の外側の空気が外壁の通気孔を通過した後に梁の貫通孔を通って屋根下空間内に流れ込むことで、屋根下空間の換気が行われる。
【先行技術文献】
【特許文献】
【０００４】
【特許文献１】特開２０１６−１８８４７０号公報
【発明の概要】
【発明が解決しようとする課題】
【０００５】
ところで、屋根下や階間のスペースに断熱材や吸音材等を設置することがある。かかる構成において、断熱材や吸音材が梁の貫通孔を塞いでしまうことで、屋根下や階間の空間における換気が適切に行われなくなってしまう虞がある。
【０００６】
そこで、本発明は、上記の課題に鑑みてなされたものであり、その目的とするところは、換気を適切に行うことが可能な建物を提供することである。
【課題を解決するための手段】
【０００７】
上記課題は、本発明に係る建物によれば、第１空間と第２空間の間で換気を行う建物であって、前記第１空間と前記第２空間の間に設けられた躯体と、前記躯体に形成された貫通孔と、前記第１空間、前記貫通孔、及び前記第２空間を繋ぐ換気経路を確保するための換気経路確保部材と、を有し、前記換気経路確保部材は、前記貫通孔と、前記第２空間に設けられる断熱材又は吸音材との間に配される衝立部と、前記貫通孔と前記第２空間との間の通気空間を形成するように、前記貫通孔から前記衝立部を離間して支持する支持部と、を有することにより解決される。
【０００８】
上記の建物によれば、内部に通気経路を有する換気経路確保部材を躯体の貫通孔に取り付けるようにしたことで、躯体の貫通孔が断熱材や吸音材により塞がれてしまうことを防止できる。これにより、躯体の貫通孔を通じて、第１空間から第２空間への換気が適切に行われる。
すなわち、本発明に係る建物によれば、第１空間から第２空間への換気量を確保することができる。これにより、建物の換気を適切に行うことができる。
【０００９】
上記の建物において、前記支持部は、前記貫通孔に接続する第１開口部と、前記第２空間に接続する第２開口部と、を有すると好適である。
こうすることで、第１開口部と第２開口部を通じて、第１空間から第２空間への換気を行うことができる。これにより、換気の経路を設計できる。
【００１０】
上記の建物において、前記第１空間は、通気孔が形成される前記建物の外壁部と、前記第２空間との間に設けられる空間であり、前記躯体は、前記外壁部と前記第２空間との間で前記外壁部と並ぶように設けられた梁であると好適である。
こうすることで、梁に形成された貫通孔を通じて外気と建物との間で安定的に換気を行うことができる。
【００１１】
上記の建物において、前記貫通孔は、前記梁のウェブに形成され、前記換気経路確保部材は、前記貫通孔が形成された部分の前記ウェブに取り付けられる取付部材を有すると好適である。
こうすることで、梁の貫通孔の箇所に換気経路確保部材を取り付けやすくなる。
【００１２】
上記の建物において、前記換気経路確保部材は、上面部、下面部、及び複数の側面部を有し、前記複数の側面部は、前記貫通孔に近い側に配される第１側面部と、前記貫通孔に対し遠い側に配される前記衝立部としての第２側面部を含み、前記第１開口部は、前記第１側面部に設けられ、前記第２開口部は、前記換気経路確保部材の上部に設けられると好適である。
こうすることで、換気経路確保部材の上部の開口を通じて外気を第２空間に送り込むことができる。換気経路確保部材の第２側面部に断熱材や吸音材が当接していても、換気経路確保部材の上部は塞がれにくいため、第２空間への換気量を十分に確保できる。
【００１３】
上記の建物において、前記第２開口部は、前記上面部に設けられると好適である。
こうすることで、換気経路確保部材の第２開口部がより塞がれにくくなる。これにより、より安定した換気を実行することができる。
【００１４】
上記の建物において、前記取付部材は、前記ウェブを挟持するクリップであると好適である。
こうすることで、簡単な構造で換気経路確保部材を梁の貫通孔に取り付けることができる。これにより、換気経路確保部材の梁の貫通孔への取付作業の負担を軽減できる。
【００１５】
上記の建物において、前記第１側面部の下部に設けられ、前記貫通孔より下部の前記ウェブに係止する係止部材を有すると好適である。
こうすることで、換気経路確保部材の脱落を防止することができる。これにより、換気経路確保部材の梁の貫通孔への取り付けの安定性を向上できる。
【００１６】
上記の建物において、前記衝立部と前記ウェブとの距離は、前記ウェブから前記第２空間に向けて延出する前記梁のフランジの長さよりも短いと好適である。
こうすることで、換気経路確保部材が梁のフランジよりも屋内側に突出させないようにできる。これにより、屋内側の建材との干渉を抑制できる。
【００１７】
上記の建物において、前記第１空間と前記第２空間は、前記建物の屋根下又は階間に設けられると好適である。
こうすることで、屋根下や階間における換気を適切に実行できる。
【発明の効果】
【００１８】
本発明によれば、建物の空間の換気を適切に行うことができる。
【図面の簡単な説明】
【００１９】
【図１】建物の模式的な立面図である。
【図２】陸屋根換気構造の概要を示す断面図である。
【図３】換気経路確保部材の外観を示す斜視図である。
【図４】鉄骨梁への換気経路確保部材の取り付け方法を示す図である。
【図５】鉄骨梁の貫通孔に換気経路確保部材を取り付けた状態を示す図である。
【図６】換気経路確保部材を取り付けない場合における換気経路の状態を模式的に示す図である。
【図７】換気経路確保部材を取り付けた場合における換気経路の状態を模式的に示す図である。
【発明を実施するための形態】
【００２０】
以下、本発明の一実施形態（以下、本実施形態）について図面を参照しながら説明する。ただし、以下に説明する実施形態は、本発明の理解を容易にするための一例に過ぎず、本発明を限定するものではない。すなわち、本発明は、その趣旨を逸脱することなく、変更、改良され得る。また、当然ながら、本発明にはその等価物が含まれ得る。
【００２１】
なお、以下では、建物Ｈを例に挙げて説明する。ただし、本発明は、建物の外形形状に拘わらず、屋根下及び階間の少なくとも一方に被換気空間を有する建物に適用可能である。
【００２２】
また、以下の説明中、「桁行方向」とは、建物Ｈの長手方向であり、後述する躯体としての鉄骨梁２の延出方向に相当する。また、「梁間方向」とは、建物Ｈの短手方向である。また、「鉛直方向」とは、建物Ｈの上下方向である。なお、梁間方向は、本実施形態において、外壁部１及び鉄骨梁２が並ぶ方向に相当し、桁行方向及び鉛直方向は、外壁部１及び鉄骨梁２が並ぶ方向と交差する方向に相当する。
【００２３】
また、以下の説明中、「屋外側」とは、梁間方向において建物Ｈの外側に近い方を意味し、「屋内側」とは、梁間方向において屋外側とは反対側を意味する。
【００２４】
＜＜建物の基本構成＞＞
先ず、本実施形態に係る建物Ｈの基本構成について説明する。
図１は、建物Ｈの模式的な立面図である。図１に示されるように、建物Ｈは一階Ｈ１、二階Ｈ２、三階Ｈ３を有する三階建ての建物である。そして、建物Ｈでは、陸屋根部Ｒの下部となる屋根下、階間に相当する対象箇所Ｔに、本発明に係る換気構造を適用している。
【００２５】
ここで、図２乃至図５を参照しながら、対象箇所Ｔにおける換気構造について説明する。
図２は、陸屋根換気構造の概要を示す断面図である。なお、図２は、鉄骨梁２の貫通孔２ｃの中心を通る断面図である。
図３は、換気経路確保部材１０の外観を示す斜視図である。
図４は、鉄骨梁２への換気経路確保部材１０の取り付け方法を示す図である。
図５は、鉄骨梁２の貫通孔２ｃに換気経路確保部材１０を取り付けた状態を示す図である。
【００２６】
外壁部１は、図２に示されるように、各階に配置された外壁パネル３を有する。そして、外壁パネル３は、例えばサイディングボード等の面材４を具備し、図２に示すように面材４は建物Ｈにおいて最も屋外側に配置されて露出している。
【００２７】
また、階間には、梁としての鉄骨梁２が設けられている。この鉄骨梁２は、Ｈ形鋼によって構成されており、建物Ｈの躯体中、胴差として機能する。具体的に説明すると、鉄骨梁２は、階間に設置されて上階の床を構成する部材、厳密には床パネル６を支持している。床パネル６は、例えばオートクレーブ養生した軽量気泡コンクリート（Ａｕｔｏｃｌａｖｅｄ Ｌｉｇｈｔｗｅｉｇｈｔ Ｃｏｎｃｒｅｔｅ、以下、ＡＬＣ）製のボード部材である。
【００２８】
そして、床パネル６の直下位置には、比較的高さが低い空間（いわゆる床下懐であり、以下、第１空間Ｖ１及び第２空間Ｖ２）が形成されている。この第１空間Ｖ１と第２空間Ｖ２は鉄骨梁２により隔てられている。すなわち、床パネル６の下方であって、外壁部１と鉄骨梁２の間の空間を第１空間Ｖ１、鉄骨梁２よりもさらに建物内部側の空間を第２空間Ｖ２としている。
また、床パネル６は、階間空間を第１空間Ｖ１と第２空間Ｖ２に区画する、被支持体としての鉄骨梁２によって支持されている。なお、床パネル６は、図２に示すように、鉄骨梁２が有する上側のフランジ２ａの上端面に載置されることで、鉄骨梁２に支持されている。
【００２９】
以上のように、階間の外縁部では、外壁部１と第２空間Ｖ２との間で、鉄骨梁２が外壁部１と並ぶように配置されている。
【００３０】
また、本実施形態の建物Ｈでは、不図示の換気ファンが第２空間Ｖ２に設置されており、この換気ファンを定期的に運転することによって、第１空間Ｖ１から第２空間Ｖ２への換気を適宜実施している。すなわち、第１空間Ｖ１と第２空間Ｖ２は、被換気空間に相当し、本実施形態では、建物Ｈの外側の空気を、第１空間Ｖ１を通じて第２空間Ｖ２に取り込むことで第１空間Ｖ１と第２空間Ｖ２の空気を換気するようにしている。そして、本実施形態の建物Ｈでは、建物Ｈの外側の空気を、円滑に第１空間Ｖ１を通じて第２空間Ｖ２内に取り込めるような換気構造を採用している。特に、本実施形態では、第１空間Ｖ１と第２空間Ｖ２の直上に配される床パネル６がＡＬＣ製のボードによって構成されており、床パネル６中に吸着された水分（湿気）が特に第２空間Ｖ２内に放出されるため、上記の換気構造が重要なものとなっている。
以下では、本実施形態の建物Ｈにて採用されている換気構造について詳しく説明する。
【００３１】
本実施形態の建物Ｈにて採用されている換気構造は、建物Ｈの外縁部のうち、階間に相当する部分から建物Ｈの外側の空気を取り込み（吸気し）、その空気を、第１空間Ｖ１を通じて第２空間Ｖ２内に導くためのものである。なお、第２空間Ｖ２内に空気を通し易くするために、第２空間Ｖ２内の気圧は、若干負圧となるように調整される。
【００３２】
上記の換気構造は、建物Ｈの階間の外縁部において通気経路を形成するために、外壁部１に設けられた通気孔５と、鉄骨梁２に設けられた貫通孔２ｃと、貫通孔２ｃに取り付けられた換気経路確保部材１０と、を有する。そして、通気孔５、鉄骨梁２の貫通孔２ｃ、換気経路確保部材１０を通じて、外気が第１空間Ｖ１を通じて第２空間Ｖ２に取り込まれるようになっている。
【００３３】
通気孔５は、第１空間Ｖ１と第２空間Ｖ２の換気を行うために外壁部１、厳密には、階間の外縁部に設けられた外壁部１に形成されている。より具体的に説明すると、通気孔５は、図２に示すように、鉄骨梁２の貫通孔２ｃと高さ方向において互いに略同じ位置にある。
【００３４】
また、通気孔５には、フード２１が取り付けられている。このフード２１は、一般的な吸気用フードと同様の構成となっており、下端に開口（以下、「フード開口」と呼ぶ）を備えている。
【００３５】
また、フード２１には、防火用ダンパが収容されていることとしてよい。防火用ダンパは、建物Ｈの外側から炎が通気孔５を通じて建物Ｈ内に進入してきた際に、屋内側の開口を塞ぎ、炎が更に屋内へ進入するのを防止する装置である。なお、防火用ダンパとしては、通常時には開いており火災時等の緊急時に閉じるものである限り、一般的な防火用ダンパを用いることが可能である。
【００３６】
鉄骨梁２は、フランジ２ａとウェブ２ｂを有し、ウェブ２ｂには貫通孔２ｃが形成されている。貫通孔２ｃは、例えば通気孔５に対向する高さに形成されていることとしてよく、こうすることで通気孔５からの通気経路を直線的とし、換気効率を向上できる。また、貫通孔２ｃは、例えばウェブ２ｂの上下方向の略中央部に形成されていることとしてもよい。こうすることで、鉄骨梁２の上下の強度に偏りが生じないようにすることができる。
【００３７】
上述したように、貫通孔２ｃは、通気孔５を通過した空気を、第１空間Ｖ１を通じて第２空間Ｖ２へ導くために鉄骨梁２のウェブ２ｂに形成された円穴である。なお、本実施形態では、貫通孔２ｃを円穴としたが、貫通孔２ｃは円穴に限らず、三角形、四角形を含む多角形形状としてもよいし、その他任意の形状としてもよい。
【００３８】
そして、貫通孔２ｃには、換気経路確保部材１０が取り付けられている。具体的には、換気経路確保部材１０は鉄骨梁２の屋内側のウェブ２ｂに面した状態で、ウェブ２ｂに形成された貫通孔２ｃの箇所に取り付けられる。
こうすることで、図２に示されるように、鉄骨梁２の貫通孔２ｃと、第２空間Ｖ２に配される断熱材８の間に、換気経路確保部材１０が配置されることとなる。なお、断熱材８は、例えばグラスウール、ロックウール等の繊維系断熱材であってもよいし、ポリスチレンフォーム等の発泡系断熱材であってもよい。
【００３９】
そして、図２に示されるように、換気経路確保部材１０は、貫通孔２ｃから離間した位置に配される衝立部１０Ｘと、鉄骨梁２のウェブ２ｂに取り付けられて衝立部１０Ｘを支持する支持部１０Ｙとを備える。衝立部１０Ｘは、貫通孔２ｃと断熱材８との間に配され、断熱材８が貫通孔２ｃと当接しないように断熱材８の位置を規制する部材である。
また、支持部１０Ｙには、貫通孔２ｃ側と、第２空間Ｖ２に繋がる側の両方に開口が設けられている。これにより、換気経路確保部材１０は、貫通孔２ｃと第２空間Ｖ２とを連結する通気空間１０Ｚを内部に形成することができる。
【００４０】
次に、図３乃至図５を参照しながら、換気経路確保部材１０の構成及び鉄骨梁２の貫通孔２ｃへの取付方法の詳細について説明する。
【００４１】
図３に示されるように、換気経路確保部材１０は、外観が略箱状をなし、２箇所の開口部を有している。具体的には、換気経路確保部材１０は、上面部１０Ａ、下面部１０Ｂ、及び上面部１０Ａと下面部１０Ｂを連結する複数の側面部を有する。そして、複数の側面部は、屋外側の第１側面部１０Ｃ、屋内側の第２側面部１０Ｄ、左右の第３側面部１０Ｅを有する。
なお、本実施形態においては、換気経路確保部材１０の第２側面部１０Ｄが上記の衝立部１０Ｘに相当する。また、換気経路確保部材１０の上面部１０Ａ、下面部１０Ｂ、第１側面部１０Ｃ、第３側面部１０Ｅが上記の支持部１０Ｙに相当する。
【００４２】
第１側面部１０Ｃは、鉄骨梁２の貫通孔２ｃと対向する面となる。すなわち、第１側面部１０Ｃは、鉄骨梁２の貫通孔２ｃに対し最も近い側に配される面となる。
そして、図３に示されるように、第１側面部１０Ｃには、中央部に第１開口部１１が形成される。この第１開口部１１は、図４及び図５に示されるように、換気経路確保部材１０を鉄骨梁２の貫通孔２ｃの箇所に取り付けた際に、貫通孔２ｃに接続する開口となる。
第１開口部１１は、矩形の穴として形成しているが、形状は矩形に限らず、円形等の他の形状としてもよい。第１開口部１１の大きさは、鉄骨梁２の貫通孔２ｃと同等か、それ以上であることが望ましい。
【００４３】
そして、図３に示されるように、上面部１０Ａには、第２開口部１２が形成されている。第２開口部１２は、上面部１０Ａにおいて換気経路中の合計有効開口面積を確保できる大きさとすることが望ましい。
【００４４】
ここで、換気経路確保部材１０の鉄骨梁２の貫通孔２ｃへの取付について説明する。
第１側面部１０Ｃには、第１開口部１１の上部に板状のクリップ取付部１０Ｃａが設けられている。クリップ取付部１０Ｃａの下端部には、金属製のクリップ１３が取り付けられる。クリップ取付部１０Ｃａへのクリップ１３の取付は、ビス等による機械的な接合としてもよいし、溶接等により行ってもよい。
クリップ１３は、クリップ取付部１０Ｃａの下端部から上方に延出し、クリップ１３とクリップ取付部１０Ｃａにより部材（例えば鉄骨梁２のウェブ２ｂ）を挟持可能となっている。
【００４５】
そして、第１側面部１０Ｃには、第１開口部１１の下部に板状の係止部取付部１０Ｃｂが設けられている。係止部取付部１０Ｃｂの上端部には、金属製の係止部材１４が取り付けられている。係止部材１４は、屋外側に延出する金属製の板状体としてよい。なお、係止部取付部１０Ｃｂへの係止部材１４の取付は、ビス等による機械的な接合としてもよいし、溶接等により行ってもよい。
係止部材１４は、鉄骨梁２の貫通孔２ｃの下端に係止可能となっている。なお、係止部材１４は、平板状に形成されてもよいし、鈎状に形成されてもよい。
【００４６】
ここで、換気経路確保部材１０の鉄骨梁２の貫通孔２ｃへの取付方法について具体的に説明する。図４に示されるように、鉄骨梁２の貫通孔２ｃに対し、クリップ１３が屋外側、クリップ取付部１０Ｃａが屋内側となるように、貫通孔２ｃの上端となるウェブ２ｂをクリップ１３とクリップ取付部１０Ｃａにより挟持する。そして、換気経路確保部材１０の下端側もウェブ２ｂと面するようにウェブ２ｂ側に押し付けることで、換気経路確保部材１０の係止部材１４が、鉄骨梁２の貫通孔２ｃの下端の上に配される。これにより、鉄骨梁２の貫通孔２ｃの下端と、係止部材１４が係止するようになる。
【００４７】
図４及び図５に示されるように、換気経路確保部材１０は、鉄骨梁２の貫通孔２ｃの上部のウェブ２ｂを、取付部材としてのクリップ１３で挟持し、鉄骨梁２の貫通孔２ｃの下部のウェブ２ｂに対して係止部材１４により係止される。これにより、鉄骨梁２の貫通孔２ｃと、換気経路確保部材１０の第１開口部１１とを合わせた状態で、換気経路確保部材１０を取り付けることができる。そして、換気経路確保部材１０には、鉄骨梁２の貫通孔２ｃの下端に係止する係止部材１４を設けたことで、換気経路確保部材１０が下方に落下することを防止することができる。すなわち、換気経路確保部材１０の鉄骨梁２の貫通孔２ｃへの取付の安定性を向上させることができる。
【００４８】
なお、本実施形態では、換気経路確保部材１０の第２側面部１０Ｄとウェブ２ｂとの距離は、ウェブ２ｂから第２空間Ｖ２に向けて延出する鉄骨梁２のフランジ２ａの長さよりも短い。これにより、換気経路確保部材１０が屋内側の建材と干渉することを抑制し、設置の自由度を向上できる。
【００４９】
建物Ｈの外側の空気を、第１空間Ｖ１を通じて第２空間Ｖ２内へ導くための通気経路について説明すると、建物Ｈの外側の空気は、フード開口（下端）を通じてフード２１内に流れ込み、さらに、第１空間Ｖ１に流れ込む。そして、第１空間Ｖ１から鉄骨梁２の貫通孔２ｃを通じて、貫通孔２ｃと連通した換気経路確保部材１０の第１開口部１１を通って、換気経路確保部材１０の通気空間１０Ｚに流れ込む。そして、換気経路確保部材１０の上面部１０Ａの第２開口部１２を通じて第２空間Ｖ２に流れ込むようになる。
【００５０】
上述したように、換気経路確保部材１０の第２側面部１０Ｄは、鉄骨梁２の貫通孔２ｃと、第２空間Ｖ２内に設けられる断熱材８との間の衝立部として機能する。すなわち、鉄骨梁２の貫通孔２ｃに取り付けられた換気経路確保部材１０の屋内側の側面である第２側面部１０Ｄが、断熱材８と当接することで、断熱材８が鉄骨梁２の貫通孔２ｃを塞ぐことを防止できる。
【００５１】
仮に鉄骨梁２の貫通孔２ｃに換気経路確保部材１０を取り付けない場合には、図６に示されるように、鉄骨梁２の貫通孔２ｃが断熱材８により塞がれ、換気経路Ａ１の中で貫通孔２ｃの箇所がボトルネックとなり、十分な換気量を確保できない虞がある。
一方で、鉄骨梁２の貫通孔２ｃに換気経路確保部材１０を取り付けた場合には、図７に示されるように、鉄骨梁２、貫通孔２ｃが断熱材８により塞がれることがない。そのため、換気経路Ａ２の中で貫通孔２ｃの箇所がボトルネックとならず、十分な換気量を確保することができる。
【００５２】
そして、第２空間Ｖ２の空気は、図示しない換気ファンによる気流に沿って移動し、建物Ｈの外に運ばれる。このようにして、建物Ｈでは第２空間Ｖ２の換気に際し、換気量を十分に確保することができる。
【００５３】
＜＜建物Ｈにより奏される効果＞＞
上記の実施形態に係る建物Ｈによれば、内部に通気経路を有する換気経路確保部材１０を鉄骨梁２の貫通孔２ｃに取り付けるようにしたことで、鉄骨梁２の貫通孔２ｃが断熱材８や吸音材により塞がれてしまうことを防止できる。これにより、外壁部１の通気孔５、鉄骨梁２の貫通孔２ｃ、換気経路確保部材１０の中を通じて、外気を第１空間Ｖ１と第２空間Ｖ２（被換気空間）に取り込みやすくなる。
すなわち、建物Ｈによれば、屋根下と階間のうちの少なくとも一方の空間の換気に関し換気量を確保することができる。これにより、建物の屋根下と階間のうちの少なくとも一方の空間の換気を適切に行うことができる。
【００５４】
建物Ｈでは、貫通孔２ｃは、鉄骨梁２のウェブ２ｂに形成され、換気経路確保部材１０は、貫通孔２ｃが形成された部分のウェブ２ｂに取り付けられるクリップ１３（取付部材）を有する。
こうすることで、鉄骨梁２の貫通孔２ｃの箇所に換気経路確保部材１０を取り付けやすくなる。
【００５５】
建物Ｈでは、換気経路確保部材１０は、上面部１０Ａ、下面部１０Ｂ、及び複数の側面部を有する。複数の側面部は、貫通孔２ｃに近い側に配される第１側面部１０Ｃと、貫通孔２ｃに対し遠い側に配される衝立部としての第２側面部１０Ｄを含む。そして、第１開口部１１は、第１側面部１０Ｃに設けられ、第２開口部１２は、上面部１０Ａに設けられる。
こうすることで、換気経路確保部材１０の上面部１０Ａの開口を通じて外気を第２空間Ｖ２（被換気空間）に送り込むことができる。換気経路確保部材１０の第２側面部１０Ｄに断熱材８や吸音材が当接していても、換気経路確保部材１０の上面部１０Ａは塞がれないため、第２空間Ｖ２（被換気空間）への換気量を十分に確保できる。
【００５６】
建物Ｈでは、取付部材は、第１側面部１０Ｃの上部（クリップ取付部１０Ｃａ）に設けられ、貫通孔２ｃより上部のウェブ２ｂを挟持するクリップ１３である。
こうすることで、簡単な構造で換気経路確保部材１０を鉄骨梁２の貫通孔２ｃに取り付けることができる。これにより、換気経路確保部材１０の鉄骨梁２の貫通孔２ｃへの取付作業の負担を軽減できる。
【００５７】
建物Ｈでは、第１側面部１０Ｃの下部（係止部取付部１０Ｃｂ）に設けられ、貫通孔２ｃより下部のウェブ２ｂに係止する係止部材１４を有する。
こうすることで、換気経路確保部材１０の脱落を防止することができる。これにより、換気経路確保部材１０の鉄骨梁２の貫通孔２ｃへの取り付けの安定性を向上できる。
【００５８】
建物Ｈでは、換気経路確保部材１０の第２側面部１０Ｄとウェブ２ｂとの距離は、ウェブ２ｂから第２空間Ｖ２に向けて延出する鉄骨梁２のフランジ２ａの長さよりも短い。
こうすることで、換気経路確保部材１０が鉄骨梁２のフランジ２ａよりも屋内側に突出させないようにできる。これにより、換気経路確保部材１０と屋内側の建材との干渉を抑制できる。
【００５９】
＜＜その他の実施形態＞＞
以上までに本発明の建物について一例を挙げて説明したが、本発明の建物については、上記の実施形態に限定されるものではない。
例えば、換気経路確保部材１０の支持部１０Ｙは、衝立部１０Ｘを支持する１又は複数の柱状部材であってもよい。この場合には、柱状部材を、鉄骨梁２の貫通孔２ｃの周囲に接合することで、衝立部１０Ｘを貫通孔２ｃから離間する位置に配することとしてよい。
また、換気経路確保部材１０は、鉄骨梁２以外の躯体に形成された貫通孔に対しても同様に取付可能である。
また、鉄骨梁２の第２空間Ｖ２側だけでなく、第１空間Ｖ１側にも換気経路確保部材１０を取り付けてもよい。こうすることで、第１空間Ｖ１側に断熱材８が設けられるような場合においても通気経路を確保することができる。
【００６０】
また、上記の実施形態では、第２空間Ｖ２に接続する開口部が第２開口部１２の１つである例について説明したが、第２開口部１２は、複数あってもよい。
例えば、第２開口部１２は、上面部１０Ａだけでなく、第３側面部１０Ｅに形成してもよい。
また、上記の実施形態では、第２開口部１２を上面部１０Ａに形成した例について説明したが、第２開口部１２は、上面部１０Ａに限らず、第３側面部１０Ｅや、第２側面部１０Ｄの上部等に形成してもよい。ここで、上記の「上部」とは、例えば換気経路確保部材１０の上下方向中央部よりも上側である。
【００６１】
また、上記の実施形態では、換気経路確保部材１０をクリップ１３により鉄骨梁２の貫通孔２ｃの箇所に取り付ける例について説明したが、換気経路確保部材１０の鉄骨梁２への取り付けはクリップ１３に限定されない。例えば、溶接、接着剤、磁石、ボルトやナットを用いた締結等により換気経路確保部材１０を鉄骨梁２に取り付けてもよい。
【００６２】
また、上記の実施形態では、換気経路確保部材１０が箱形状である例について説明したが、換気経路確保部材１０は箱形状に限られない。例えば、半球状、階段状等の任意形状としてもよい。
【００６３】
また、上記の実施形態では、第２空間Ｖ２に断熱材８が設けられている例について説明したが、第２空間Ｖ２に吸音材が設けられている場合にも換気経路確保部材１０は同様に適用可能である。
【００６４】
また、上記の実施形態では、複数階建ての建物Ｈにおける第２空間Ｖ２の換気を行うための換気構造を例に挙げて説明した。ただし、本発明の換気構造は、屋根下に被換気空間を有する建物（例えば、陸屋根式の建物）において当該空間の換気を行う場合にも利用可能である。かかるケースでは、屋根材が被支持体として鉄骨梁２によって支持されることになるが、それ以外の構成については、上述した換気構造（第２空間Ｖ２を換気するための構造）と同様である。
なお、屋根下及び階間の双方に被換気空間が設けられているケースにおいて各々の空間の換気を行う場合にも、本発明の換気構造は、利用可能である。
【００６５】
また、上記の実施形態では、外壁部１の通気孔５を通じて第１空間Ｖ１に外気を取り込み、さらに第１空間Ｖ１から換気経路確保部材１０を通じて第２空間Ｖ２の方向に空気を流しているが、これに限られない。すなわち、第２空間Ｖ２から換気経路確保部材１０を通じて第１空間Ｖ１に空気を流し、さらに第１空間Ｖ１から外壁部１の通気孔５を通じて建物Ｈの外に空気を排出してもよい。
【符号の説明】
【００６６】
１  外壁部
２  鉄骨梁（梁、躯体）
２ａ  フランジ
２ｂ  ウェブ
２ｃ  貫通孔
３  外壁パネル
４  面材
５  通気孔
６  床パネル（被支持体）
８  断熱材
１０  換気経路確保部材
１０Ａ  上面部
１０Ｂ  下面部
１０Ｃ  第１側面部
１０Ｃａ  クリップ取付部
１０Ｃｂ  係止部取付部
１０Ｄ  第２側面部
１０Ｅ  第３側面部
１０Ｘ  衝立部
１０Ｙ  支持部
１０Ｚ  通気空間
１１  第１開口部
１２  第２開口部
１３  クリップ（取付部材）
１４  係止部材
２１  フード
Ａ１  換気経路
Ａ２  換気経路
Ｈ  建物
Ｈ１  一階
Ｈ２  二階
Ｈ３  三階
Ｔ  対象箇所
Ｒ  陸屋根部
Ｖ１  第１空間
Ｖ２  第２空間
【図１】
2019060127.tif 000003
【図２】
2019060127.tif 000004
【図３】
2019060127.tif 000005
【図４】
2019060127.tif 000006
【図５】
2019060127.tif 000007
【図６】
2019060127.tif 000008
【図７】
2019060127.tif 000009